(57)【要約】【課題】収納空間部の大きさを容易に調整できる食器カゴを提供する。【解決手段】食器カゴ１は、複数の食器２を収納する食器収納空間10を有するカゴ本体11を備える。カゴ本体11には、食器収納空間10を仕切って複数の収納空間部13を形成する形状変更可能な仕切手段12を設ける。仕切手段12の形状変更に基づいて、複数の収納空間部13のうち少なくとも１つの収納空間部13の大きさが調整可能である。【選択図】図１
2017018166.tif 000002
【特許請求の範囲】
【請求項１】
複数の食器を収納したまま食器洗浄装置に投入される食器カゴであって、
複数の食器が収納される食器収納空間を有するカゴ本体と、
前記食器収納空間を仕切って複数の収納空間部を形成する形状変更可能な仕切手段とを備え、
前記仕切手段の形状変更に基づいて、前記複数の収納空間部のうち少なくとも１つの収納空間部の大きさを調整することが可能となっている
ことを特徴とする食器カゴ。
【請求項２】
仕切手段は、
互いに異なる方向に回動する第１回動体および第２回動体と、
これら第１回動体および第２回動体を回動可能に支持する支持体とを有する
ことを特徴とする請求項１記載の食器カゴ。
【請求項３】
仕切手段は、一方側食器支え体および他方側食器支え体を有し、
前記一方側食器支え体と前記他方側食器支え体との間の距離が、支持体に対する第１回動体および第２回動体の回動に応じて変わる
ことを特徴とする請求項２記載の食器カゴ。
【請求項４】
仕切手段は、カゴ本体に位置調整可能に取り付けられている
ことを特徴とする請求項１ないし３のいずれか一記載の食器カゴ。
【請求項５】
カゴ本体の収納空間部には、食器洗浄装置による食器洗浄時に食器を食器重ね方向に移動させるための移動用空間を残して、複数の食器が前記食器重ね方向に重ねられて収納される
ことを特徴とする請求項１ないし４のいずれか一記載の食器カゴ。
【発明の詳細な説明】
【技術分野】
【０００１】
本発明は、複数の食器を収納したまま食器洗浄装置に投入される食器カゴに関するものである。
【背景技術】
【０００２】
従来、例えば下記の特許文献１に記載された食器カゴ（食器の収納具）が知られている。
【０００３】
この従来の食器カゴは、例えば食器を支持する複数本の支持棒の各々に装着可能なシリコンゴム製の食器位置調節部材を有し、この食器位置調節部材の位置を変えて区画した複数の食器ごとに先頭に位置する食器の表面側と最後尾に位置する食器の裏面側を規制する位置間の距離を調節可能としたものである。
【先行技術文献】
【特許文献】
【０００４】
【特許文献１】特開２０１０−６８９３８号公報
【発明の概要】
【発明が解決しようとする課題】
【０００５】
しかしながら、上記従来の食器カゴでは、例えば収納される食器の数が変わり、収納空間部の大きさを調整する必要が生じた場合には、各支持棒に対して食器位置調節部材の位置を変える必要があるため、作業者がその調整作業に手間取るおそれがある。
【０００６】
本発明は、このような点に鑑みなされたもので、食器を収納する収納空間部の大きさを容易に調整できる食器カゴを提供することを目的とする。
【課題を解決するための手段】
【０００７】
請求項１記載の食器カゴは、複数の食器を収納したまま食器洗浄装置に投入される食器カゴであって、複数の食器が収納される食器収納空間を有するカゴ本体と、前記食器収納空間を仕切って複数の収納空間部を形成する形状変更可能な仕切手段とを備え、前記仕切手段の形状変更に基づいて、前記複数の収納空間部のうち少なくとも１つの収納空間部の大きさを調整することが可能となっているものである。
【０００８】
請求項２記載の食器カゴは、請求項１記載の食器カゴにおいて、仕切手段は、互いに異なる方向に回動する第１回動体および第２回動体と、これら第１回動体および第２回動体を回動可能に支持する支持体とを有するものである。
【０００９】
請求項３記載の食器カゴは、請求項２記載の食器カゴにおいて、仕切手段は、一方側食器支え体および他方側食器支え体を有し、前記一方側食器支え体と前記他方側食器支え体との間の距離が、支持体に対する第１回動体および第２回動体の回動に応じて変わるものである。
【００１０】
請求項４記載の食器カゴは、請求項１ないし３のいずれか一記載の食器カゴにおいて、仕切手段は、カゴ本体に位置調整可能に取り付けられているものである。
【００１１】
請求項５記載の食器カゴは、請求項１ないし４のいずれか一記載の食器カゴにおいて、カゴ本体の収納空間部には、食器洗浄装置による食器洗浄時に食器を食器重ね方向に移動させるための移動用空間を残して、複数の食器が前記食器重ね方向に重ねられて収納されるものである。
【発明の効果】
【００１２】
本発明によれば、仕切手段の形状変更に基づいて、複数の収納空間部のうち少なくとも１つの収納空間部の大きさを調整することが可能となっているため、食器を収納する収納空間部の大きさを容易に調整できる。
【図面の簡単な説明】
【００１３】
【図１】本発明の一実施の形態に係る食器カゴの正面図である。
【図２】同上食器カゴの平面図である。
【図３】同上食器カゴの側面図である。
【図４】同上食器カゴの仕切手段を示す図で、（ａ）が正面図、（ｂ）が側面図である。
【図５】同上仕切手段の部分拡大図である。
【図６】同上仕切手段をカゴ本体に取り付けるための取付手段の分解斜視図である。
【図７】同上取付手段の正面図である。
【図８】同上取付手段の断面図である。
【図９】同上食器カゴ内に設定数の食器を収納した状態を示す図で、（ａ）が平面図、（ｂ）が正面図、（ｃ）が側面図である。
【図１０】（ａ）および（ｂ）は食器を洗浄する場合の説明図である。
【図１１】（ｃ）ないし（ｅ）は図１０に続く説明図である。
【図１２】同上食器カゴの後側の収納空間部のみの大きさを調整した例を示す図で、（ａ）が平面図、（ｂ）が正面図、（ｃ）が側面図である。
【図１３】同上食器カゴの前後の収納空間部の大きさを調整した例を示す図で、（ａ）が平面図、（ｂ）が正面図、（ｃ）が側面図である。
【発明を実施するための形態】
【００１４】
本発明の一実施の形態について図１ないし図１３を参照して説明する。
【００１５】
図中の１は食器カゴで、この食器カゴ１は、複数の食器２が食器重ね方向（例えば水平方向）に重ねられて収納される外形直方体状の蓋無しの食器収納具である。
【００１６】
そして、この食器カゴ１は、食器重ね方向に重なった複数の食器２を収納したまま食器洗浄装置３に投入され、この食器洗浄装置３内で洗浄水によって食器２とともに洗浄される。
【００１７】
食器２は、例えば学校給食等で使用される矩形状の樹脂製のトレイである。この食器２（トレイ）は、図示しない複数の容器等が載置される矩形板状の載置板部2aと、この載置板部2aの外周端部に一体に設けられた上り傾斜状の傾斜板部2bとにて構成されている（図９参照）。
【００１８】
食器洗浄装置３は、図１０等に示すように、上ノズル４のスリット状の噴射口５から噴射されるカーテン状の洗浄水によって食器２の洗浄が連続的に行われる洗浄室６を内部に有する装置本体（図示せず）を備えている。
【００１９】
洗浄室６の下部には、食器カゴ１内の食器２の表面が移動方向前方を向くようにして、食器カゴ１を水平な移動方向（食器重ね方向に沿った方向）に搬送する搬送手段８が配設されている。また、洗浄室６の上部には、食器カゴ１の移動方向に対して直交するカーテン状の洗浄水を噴射する複数の上ノズル４が食器カゴ１の移動方向に互いに間隔をおいて配設されている。
【００２０】
食器カゴ１は、図１ないし図３等に示すように、複数の食器２が立ち姿勢（鉛直方向に対して若干傾斜した姿勢を含む）で食器重ね方向（例えば水平方向）に重ねられて出し入れ可能に収納される食器収納空間10を内部に有する外形直方体状のカゴ本体11と、このカゴ本体11内に配設され食器収納空間10を前後に仕切って複数、例えば前後２つの収納空間部13を形成する形状変更可能な１つの仕切手段12とを備えている。
【００２１】
そして、仕切手段（単一の仕切部）12の形状変更に基づいて、複数の収納空間部13のうち少なくとも１つの収納空間部13の大きさを調整することが可能となっている。すなわち例えば、図３の２点鎖線で示すように、仕切手段12の形状を変更させるだけで、前後２つの収納空間部13の大きさを同時に調整可能である。
【００２２】
カゴ本体11は、食器収納空間10を内部に有するように複数本の棒状部材が組み合わされて構成された金網カゴである。食器２が収納される食器収納空間10は、食器２を出し入れするための上面開口部９によって上方に向かって開口している。
【００２３】
そして、このカゴ本体11は、底部15、前側部16、後側部17、左側部18および右側部19を有し、これら左側部18および右側部19の各上端部には、取手20が回動可能に取り付けられている。
【００２４】
また、底部15は、食器収納空間10に収納される複数の食器２の重ね方向に沿って長手状で食器収納空間10の底面に水平状に位置する互いに平行な２本（複数本）の丸棒状の支持棒（棒状部材）23を有している。そして、これら支持棒23によって複数の食器２を下方から支えるとともに各食器２が重ね方向へと滑りやすいようにしている。
【００２５】
さらに、左側部18および右側部19は、いずれも前後方向長手状で互いに平行な複数本の丸棒状の水平棒（棒状部材）21を上下方向中央部に有している。
【００２６】
仕切手段（調整枠）12は、図４（ａ）および（ｂ）にも示すように、側面視でＸ字状をなすように配設され互いに異なる方向に回動する矩形枠状の第１回動体（外枠）31および矩形枠状の第２回動体（内枠）32と、これら第１回動体31および第２回動体32を水平な回動中心軸線ａを中心として回動可能に支持する左右方向長手状で丸棒状の支持体33とを有している。
【００２７】
つまり、側面視Ｘ字状の第１回動体31および第２回動体32は、丸棒状の水平な支持体33に対してこの支持体（回動中心軸線ａ）33を中心として互いに異なる方向に回動可能となっている。
【００２８】
第１回動体31は、第２回動体32よりも一回り大きな矩形枠状（矩形環状）に形成されている。これら第１回動体31および第２回動体32は、いずれも筒状部34を有し、この筒状部34に支持体33が挿通されている。支持体33の長手方向両端側には、ねじ部35がそれぞれ形成されている。
【００２９】
第１回動体31は、それぞれ左右方向長手状をなす上水平棒部36および下水平棒部37を有し、上水平棒部36の左端部と下水平棒部37の左端部とが左連結棒部38によって連結され、上水平棒部36の右端部と下水平棒部37の右端部とが右連結棒部39によって連結されている。同様に、第２回動体32は、それぞれ左右方向長手状をなす上水平棒部41および下水平棒部42を有し、上水平棒部41の左端部と下水平棒部42の左端部とが左連結棒部43によって連結され、上水平棒部41の右端部と下水平棒部42の右端部とが右連結棒部44によって連結されている。なお、各連結棒部38，39，43，44の長手方向中央部に、両端面が開口した筒状部34が固設されている。
【００３０】
また、仕切手段12は、前側の収納空間部（第１収納空間部）13に収納された食器２を後方から支える複数、例えば左右１対の板状の一方側食器支え体である前側食器支え板46と、後側の収納空間部（第２収納空間部）13に収納された食器２を前方から支える複数、例えば左右１対の板状の他方側食器支え体である後側食器支え板47とを有している。
【００３１】
つまり、仕切手段12は、食器２に当接する部分において収納空間部13の下部から上部までの間を鉛直面に沿って位置する上下方向平面長手状で矩形状をなす同一形状の複数、例えば４枚の食器支え板（フラットバー）46，47を有し、この各食器支え板46，47の上側および下側には、長孔部48が両側面に貫通するように形成されている。
【００３２】
そして、第１回動体31の下水平棒部37が前側食器支え板46の下側の長孔部48に上下スライド可能に挿通され、かつ、第１回動体31の上水平棒部36が後側食器支え板47の上側の長孔部48に上下スライド可能に挿通されている。また、第２回動体32の上水平棒部41が前側食器支え板46の上側の長孔部48に上下スライド可能に挿通され、かつ、第２回動体32の下水平棒部42が後側食器支え板47の下側の長孔部48に上下スライド可能に挿通されている。
【００３３】
このため、前側食器支え板46と後側食器支え板47との間の距離Ｌが、支持体33に対する第１回動体31および第２回動体32の回動に応じて変わる。
【００３４】
換言すると、支持体33に対する第１回動体31および第２回動体32の連動回動に応じて、両食器支え板46，47が互いに並行状態（平行状態）を保ちつつ接近方向および離間方向に接離移動する。また、左右に１枚ずつ有している前側食器支え板46と後側食器支え板47において、食器２と当接する面は、鉛直面に沿った同一面状に位置しており、常に食器２とは左右均等な状態で当接して支えるようになっている。
【００３５】
また、４本の各水平棒部（ねじ付き棒部）36，37，41，42の長手方向両端側には、ねじ部50がそれぞれ形成されており、このねじ部50が対応する長孔部48に挿通されている（図５参照）。
【００３６】
ねじ部50の一端側には固定ナット51が溶接等で固着され、このねじ部50の他端側には操作ナット52が螺着されている。そして、操作ナット52の回転操作により、食器支え板46，47を水平棒部36，37，41，42に対して解除可能に固定することが可能となっている。つまり、仕切手段12の形状を変更した際に、仕切手段12を変更後の形状に維持できるようになっている。
【００３７】
さらに、図６ないし図８に示すように、仕切手段12の支持体（支持棒）33は、カゴ本体11の左右の側部18，19の水平棒21に取付手段55によって前後方向に位置調整可能（前後移動調整可能）に取り付けられている。つまり、形状変更可能な仕切手段12は、左右の取付手段55によってカゴ本体11に前後方向に位置調整可能でかつ脱着可能に取り付けられている。
【００３８】
取付手段55は、複数本（２本）の水平棒21を挟持する第１取付板56および第２取付板57を有している。
【００３９】
第１取付板（第１固定金具）56は、矩形状の鉛直板部61を有し、この鉛直板部61の上下端部には水平板部62が設けられている。鉛直板部61の中央部には、両端面が開口した筒状部63が設けられている。鉛直板部61には、複数、例えば２つの挿通孔64が形成されている。
【００４０】
第２取付板（第２固定金具）57は、矩形状の鉛直板部66を有し、この鉛直板部66には複数、例えば２本のねじ軸部67が第１取付板56側に向かって突設されている。鉛直板部66の中央部には、挿通孔68が形成されている。
【００４１】
そして、支持体33のねじ部35は、第２取付板57の挿通孔68および第１取付板56の筒状部63内に挿通され、この挿通されたねじ部35にナット69が螺着され、その結果、支持体33が筒状部63内から抜け出ないようになっている。また、第２取付板57のねじ軸部67は、第１取付板56の挿通孔64に挿通され、この挿通されたねじ軸部67の先端側にナット70が螺着され、その結果、上下２本の水平棒21が両鉛直板部61，66にて挟持されている。
【００４２】
こうして、支持体33がカゴ本体11に取付手段55によって前後方向に位置調整可能に取り付けられている。なお、この取付手段55は、第１取付板56、第２取付板57および複数のナット69，70にて構成されている。
【００４３】
次に、上記食器カゴ１を用いて食器２を洗浄する場合について説明する。
【００４４】
まず、食器カゴ１内に収納される食器２の数が、予め設定された設定数である場合（例えば前側の収納空間部13に１３枚、後側の収納空間部13にも同じ１３枚）には、図９（ａ）ないし（ｃ）に示すように、仕切手段12は食器収納空間10を区切るだけの目的とし、作業者は、仕切手段12の形状を前後の両食器支え板46，47間の距離Ｌが最小（ゼロ）となるように設定（固定）する。
【００４５】
また、その距離Ｌを最小とした仕切手段12の支持体33の位置をカゴ本体11の前後方向中央位置に設定（固定）する。つまり、取付手段55を水平棒21の前後方向中央部に固定する。
【００４６】
この状態で、作業者は、回収した設定数の食器２を、大きさの等しい前後の各収納空間部13に所定枚数（例えば１３枚）ずつ分けて食器重ね方向に重ねて収納する。
【００４７】
つまり、仕切手段12によって区画形成された前後の各収納空間部13には、食器洗浄装置３による食器洗浄時に食器カゴ１内の食器２を食器重ね方向に移動させるための移動用空間（余地）71を残して、複数の食器２が互いに接触（略接触を含む）した立ち姿勢（傾斜した姿勢を含む）の状態で食器重ね方向に重ねられて収納される。
【００４８】
そして、図１０および図１１に示すように、複数の食器２を収納した食器カゴ１が食器洗浄装置３の洗浄室６に投入されると、この洗浄室６において、食器カゴ１は、搬送手段８によって食器２の食器重ね方向に沿った移動方向に向かって移動し、この移動途中で食器カゴ１内の複数の食器２が上ノズル４からの洗浄水によって順次洗浄される。
【００４９】
具体的には、上ノズル４の噴射口５から噴射された洗浄水が、食器カゴ１内の食器２に上方側から当たると、底部15の支持棒23に載っている食器２が移動用空間71分だけ食器カゴ１に対して移動方向へ１枚ずつ移動することによって、互いに接触して隣り合っていた食器２間に間隙72が生じ、この生じた間隙72に洗浄水が入り込む。
【００５０】
そして、その入り込んだ洗浄水は、食器２間の間隙72内を上から下に向かって流動し、この流動する洗浄水によって互いに間隙72を介して離間対向する食器２の表面および裏面が洗浄され、その表裏面に付着していた付着物（汚れ）が下方へ流し落とされる。
【００５１】
なおこのとき、前側の収納空間部13に収納された複数の食器２に関しては、それら複数の食器２のうち、移動方向前端（先頭）の食器２は食器カゴ11の前側部16に当接して前方移動が規制され、移動方向後端（最後尾）の食器２は仕切手段12の前側食器支え板46である左右に１つずつ配置されているそれぞれに当接して後方移動が規制される。また、後側の収納空間部13に収納された複数の食器２に関しては、それら複数の食器２のうち、移動方向前端（先頭）の食器２は仕切手段12の後側食器支え板47である左右に１つずつ配置されているそれぞれに当接して前方移動が規制され、移動方向後端（最後尾）の食器２は食器カゴ1の後側部17に当接して後方移動が規制される。
【００５２】
このようにして、食器洗浄装置３の洗浄室６では、互いに間隔をおいて複数配設された各上ノズル４からの洗浄水によって、食器２が食器カゴ１に対して１枚ずつ円滑に移動して順次洗浄されるとともに食器カゴ１自体も洗浄される。
【００５３】
ここで、例えば食器カゴ１内に収納される食器２の数が、予め設定された設定数から減った場合（例えば８枚減少）には、移動用空間71が必要以上に大きくなるため、収納空間部13の大きさを調整する必要がある。
【００５４】
このとき、作業者は、例えば図１２に示すように、前後の両食器支え板46，47間の距離Ｌが、減少した食器２の枚数に対応した所望値になるように、両回動体31，32を支持体33に対して互いに異なる方向に連動回動させて仕切手段12の形状を変更設定する。
【００５５】
また、その距離Ｌを所望値とした形状変更後の仕切手段12の支持体33の位置をカゴ本体11の前後方向中央位置から後方へずらし、前側食器支え板46の位置が変わらないようにする。
【００５６】
つまり、この図１２に示す例は、仕切手段12の形状変更に基づいて、前後２つの収納空間部13のうち後側の収納空間部13のみの大きさを調整した例である。
【００５７】
一方、図１３に示す例は、仕切手段12の形状変更に基づいて、前後２つの収納空間部13のうち両方の収納空間部13の大きさを調整した例である。
【００５８】
この図１３に示す例では、作業者は、距離Ｌを所望値とした形状変更後の仕切手段12の支持体33の位置を変える必要がなく、仕切手段12の形状を変更させるだけで、前後２つの両収納空間部13の大きさ（複数の各収納空間部13の大きさ）を同時に調整できる。
【００５９】
そして、このような食器カゴ１によれば、食器収納空間10に収納される食器２の数が変わった場合に、仕切手段12の形状変更に基づいて、前側食器支え板46および後側食器支え板47が並行な状態を保ったまま距離Ｌを広げ、複数の収納空間部13のうち少なくとも１つの収納空間部13の大きさを調整することが可能となっているため、従来の構成に比べて、食器２を収納する収納空間部13の大きさを容易に調整することができる。また、距離Ｌを変更しても、前側食器支え板46および後側食器支え板47の左右に１つずつ配置されているそれぞれが食器２に当接して支えるようにできて、作業者による調整作業の容易化を図ることができる。
【００６０】
また、仕切手段12は、第１回動体31および第２回動体32と、これら第１回動体31および第２回動体32を回動可能に支持する支持体33とを有するため、支持体33に対して両回動体31，32を回動させることで、仕切手段12の形状を容易に変更できる。
【００６１】
さらに、仕切手段12は、両回動体31，32に取り付けられた前側食器支え板46および後側食器支え板47を有するため、仕切手段12の形状変更に拘わらず、カゴ本体11内の食器２を食器支え板46，47にて適切に支持できる。
【００６２】
また、仕切手段12の支持体33は、カゴ本体11に取付手段55によって位置調整可能に取り付けられているため、支持体33の位置を容易に調整できるとともに、前後２つの収納空間部13のうちのいずれか一方のみの大きさを調整することが可能となる。
【００６３】
さらに、仕切手段12の前側食器支え板46および後側食器支え板47は、各収納空間部13において鉛直面に沿って上下方向平面長手状で矩形状となっていることから、収納する食器２の形状や大きさ等が多少変更されても、同じ食器カゴ１を使用することができる。
【００６４】
また、前側食器支え板46と後側食器支え板47が並行を保った状態（鉛直面に沿った状態）で距離Ｌの変更を可能としていることから、各収納空間部13に複数の食器２を収納したとき、移動用空間71となる左右の間隙も同じとなり、食器２と食器２の間を離間させた間隙72に洗浄水を噴射して洗浄するのに均一な洗浄を行うことができる。
【００６５】
さらに、仕切手段12を形状変更することによって、前側食器支え板46と後側食器支え板47が並行移動するとともに、各収納空間部13の左右に１つずつ配置している食器支え板46，47を同一面状として双方が食器２と当接するようにしていることから、食器２の枚数が変更されたときの調節を容易にすることができる。
【００６６】
なお、仕切手段12は、食器支え板46，47を有する構成には限定されず、例えば食器支え板46，47を有さず、例えば両回動体31，32および支持体33のみからなる構成でもよい。
【００６７】
また、例えば仕切手段12の支持体33がカゴ本体11の側部18，19に固着された構成等でもよい。
【００６８】
また、仕切手段12の支持体33は、カゴ本体11の食器収納空間10を貫通しているが、回動中心軸線ａ上であれば、カゴ本体11の側部18，19の部分のみに形成し、第１回動体31および第２回動体32を回動可能とするようにしてもよい。
【００６９】
さらに、例えば前後の食器支え板46，47のうちいずれか一方のみがカゴ本体11の側部18，19に固着された構成等でもよい。
【００７０】
また、仕切手段12の支持体33を垂直な回動中心軸線を中心として第１回動体31および第２回動体32を回動可能に支持するようにしてもよい。
【００７１】
また、カゴ本体11の食器収納空間10に収納される食器２は、トレイには限定されず、例えば椀や皿等でもよい。
【００７２】
さらに、食器収納空間10に収納される食器２の設定数は、２６枚（１３枚＋１３枚）には限定されず、任意であり、例えば４０枚（２０枚＋２０枚）等でもよい。
【符号の説明】
【００７３】
１    食器カゴ
２    食器
３    食器洗浄装置
10    食器収納空間
11    カゴ本体
12    仕切手段
13    収納空間部
31    第１回動体
32    第２回動体
33    支持体
46    一方側食器支え体である前側食器支え板
47    他方側食器支え体である後側食器支え板
71    移動用空間
【図１】
2017018166.tif 000003
【図２】
2017018166.tif 000004
【図３】
2017018166.tif 000005
【図４】
2017018166.tif 000006
【図５】
2017018166.tif 000007
【図６】
2017018166.tif 000008
【図７】
2017018166.tif 000009
【図８】
2017018166.tif 000010
【図９】
2017018166.tif 000011
【図１０】
2017018166.tif 000012
【図１１】
2017018166.tif 000013
【図１２】
2017018166.tif 000014
【図１３】
2017018166.tif 000015